(57)【要約】      （修正有）【課題】電源切断時の切断時刻を確実にログ出来るとともに、高コスト化を防止出来る切断時刻取得システム、画像処理システム及び切断時刻取得方法を提供する。【解決手段】応答要求部２０２は、ネットワークサーバー１０３で、画像処理装置１００を送信先として、応答要求信号を送信する。応答判定部２０３は、ネットワークサーバー１０３で、応答要求信号に対する応答信号が受信されたか否かを判定する。応答部２０４は、画像処理装置１００で、応答要求信号に対応して応答信号をネットワークサーバーに返信する。時刻保存部２０５は、ネットワークサーバー１０３で、応答要求信号に対する応答信号が受信されない場合、応答信号が無い時刻を保存する。時刻管理部２０６は、画像処理装置１００で、電源が投入されると、応答信号が無い時刻を、画像処理装置１００の電源が切断された切断時刻として管理する。【選択図】図２
2016157312.tif 000002
【特許請求の範囲】
【請求項１】
電子機器とネットワークサーバーとを含む切断時刻取得システムであって、
前記ネットワークサーバーで、前記電子機器を送信先として、応答要求信号を送信する応答要求部と、
前記ネットワークサーバーで、前記応答要求信号に対する応答信号が受信されたか否かを判定する応答判定部と、
前記電子機器で、前記応答要求信号に対応して応答信号を前記ネットワークサーバーに返信する応答部と、
前記ネットワークサーバーで、前記応答要求信号に対する応答信号が受信されない場合、前記応答信号が無い時刻を保存する時刻保存部と、
前記電子機器で、電源が投入されると、前記応答信号が無い時刻を、前記電子機器の電源が切断された切断時刻として管理する時刻管理部と、
を備えることを特徴とする切断時刻取得システム。
【請求項２】
前記応答判定部は、前記応答要求信号が送信された時点からの経過時間を計時し、当該計時する経過時間が予め設定された閾時間を超過するか否かを判定し、前記経過時間が前記閾時間を超過した際に、前記応答信号が受信されない場合、前記応答要求信号に対する応答信号が受信されないと判定する
請求項１に記載の切断時刻取得システム。
【請求項３】
前記ネットワークサーバーに、複数の電子機器が接続され、
前記時刻保存部は、前記応答信号が無い時刻を、前記電子機器の識別情報に関連付けて保存し、
前記時刻管理部は、前記電子機器の識別情報に関連付けられた前記応答信号が無い時刻を前記切断時刻として管理する
請求項１又は２に記載の切断時刻取得システム。
【請求項４】
画像処理装置とネットワークサーバーとを含む画像処理システムであって、
前記ネットワークサーバーで、前記画像処理装置を送信先として、応答要求信号を送信する応答要求部と、
前記ネットワークサーバーで、前記応答要求信号に対する応答信号が受信されたか否かを判定する応答判定部と、
前記画像処理装置で、前記応答要求信号に対応して応答信号を前記ネットワークサーバーに返信する応答部と、
前記ネットワークサーバーで、前記応答要求信号に対する応答信号が受信されない場合、前記応答信号が無い時刻を保存する時刻保存部と、
前記画像処理装置で、電源が投入されると、前記応答信号が無い時刻を、前記画像処理装置の電源が切断された切断時刻として管理する時刻管理部と、
を備えることを特徴とする画像処理システム。
【請求項５】
電子機器とネットワークサーバーとを含む切断時刻取得システムの切断時刻取得方法であって、
前記ネットワークサーバーで、前記電子機器を送信先として、応答要求信号を送信する応答要求ステップと、
前記ネットワークサーバーで、前記応答要求信号に対する応答信号が受信されたか否かを判定する応答判定ステップと、
前記電子機器で、前記応答要求信号に対応して応答信号を前記ネットワークサーバーに返信する応答ステップと、
前記ネットワークサーバーで、前記応答要求信号に対する応答信号が受信されない場合、前記応答信号が無い時刻を保存する時刻保存ステップと、
前記電子機器で、電源が投入されると、前記応答信号が無い時刻を、前記電子機器の電源が切断された切断時刻として管理する時刻管理ステップと、
を備えることを特徴とする切断時刻取得方法。
【発明の詳細な説明】
【技術分野】
【０００１】
本発明は、切断時刻取得システム、画像処理システム及び切断時刻取得方法に関する。
【背景技術】
【０００２】
従来、画像処理装置等の電子機器は、セキュリティー上、各動作毎の時刻をログとして保存するよう構成されている。例えば、特開２００３−１５６５８０号公報（特許文献１）には、特定の設置後の電源投入時や停電瞬断後に、標準時刻を取得し、内蔵時計に時刻情報を自動的に設定できる画像処理装置が開示されている。
【０００３】
又、特開２００５−２６２８１７号公報（特許文献２）には、プリンターに関する時刻を、当該プリンターに接続された管理サーバーの時計で代替する技術が開示されている。特開２０００−２５３０６号公報（特許文献３）には、時計部からの絶対時刻情報を用いて、各動作毎の時刻を保持し、トナー等の消耗品が無くなる時期を予測するプリンターが開示されている。
【先行技術文献】
【特許文献】
【０００４】
【特許文献１】特開２００３−１５６５８０号公報
【特許文献２】特開２００５−２６２８１７号公報
【特許文献３】特開２０００−２５３０６号公報
【発明の概要】
【発明が解決しようとする課題】
【０００５】
ここで、ＡＣスイッチを利用した主電源スイッチの切断では、主電源スイッチの切断時点からの電子機器の駆動時間に限りがあり、切断時刻のログを不揮発性メモリーに書き込むための時間が不足するという課題がある。
【０００６】
そのため、例えば、電子機器に、特定のバッテリーと、前記切断時刻を書き込む専用のＣＰＵと、当該切断時刻を保存する専用の不揮発性メモリーとを設けて、主電源スイッチの切断時に、専用のＣＰＵがバッテリーから電力供給を受けて、リアルタイムクロック（ＲＴＣ）から切断時刻を読み取り、これを専用の不揮発性メモリーに書き込む方法が考えられる。しかしながら、この方法では、部品点数が増加し、電子機器全体としてコストが高くなるという課題がある。
【０００７】
又、他の方法として、電子機器に、低電圧電源にする低電圧化回路を別途設けて、低電圧電源の仕様で電子機器を起動させて、既存のＣＰＵと不揮発性メモリーを用いて、前記切断時刻をログする方法が考えられる。しかしながら、この方法では、上述のように、コストが高くなるとともに、主電源スイッチの切断によるシステムのリセットが確実になされない可能性があるという課題がある。
【０００８】
そこで、本発明は、前記課題を解決するためになされたものであり、電源切断時の切断時刻を確実にログ出来るとともに、高コスト化を防止出来る切断時刻取得システム、画像処理システム及び切断時刻取得方法を提供することを目的とする。
【課題を解決するための手段】
【０００９】
本発明の一の局面に係る切断時刻取得システムは、電子機器とネットワークサーバーとを含む切断時刻取得システムであって、応答要求部と、応答判定部と、応答部と、時刻保存部と、時刻管理部と、を備える。応答要求部は、前記ネットワークサーバーで、前記電子機器を送信先として、応答要求信号を送信する。応答判定部は、前記ネットワークサーバーで、前記応答要求信号に対する応答信号が受信されたか否かを判定する。応答部は、前記電子機器で、前記応答要求信号に対応して応答信号を前記ネットワークサーバーに返信する。時刻保存部は、前記ネットワークサーバーで、前記応答要求信号に対する応答信号が受信されない場合、前記応答信号が無い時刻を保存する。時刻管理部は、前記電子機器で、電源が投入されると、前記応答信号が無い時刻を、前記電子機器の電源が切断された切断時刻として管理する。
【００１０】
前記応答判定部は、前記応答要求信号が送信された時点からの経過時間を計時し、当該計時する経過時間が予め設定された閾時間を超過するか否かを判定し、前記経過時間が前記閾時間を超過した際に、前記応答信号が受信されない場合、前記応答要求信号に対する応答信号が受信されないと判定する。
【００１１】
前記ネットワークサーバーに、複数の電子機器が接続され、前記時刻保存部は、前記応答信号が無い時刻を、前記電子機器の識別情報に関連付けて保存し、前記時刻管理部は、前記電子機器の識別情報に関連付けられた前記応答信号が無い時刻を前記切断時刻として管理する。
【００１２】
本発明の一の局面に係る画像処理システムは、画像処理装置とネットワークサーバーとを含む画像処理システムであって、応答要求部と、応答判定部と、応答部と、時刻保存部と、時刻管理部と、を備える。応答要求部は、前記ネットワークサーバーで、前記画像処理装置を送信先として、応答要求信号を送信する。応答判定部は、前記ネットワークサーバーで、前記応答要求信号に対する応答信号が受信されたか否かを判定する。応答部は、前記画像処理装置で、前記応答要求信号に対応して応答信号を前記ネットワークサーバーに返信する。時刻保存部は、前記ネットワークサーバーで、前記応答要求信号に対する応答信号が受信されない場合、前記応答信号が無い時刻を保存する。時刻管理部は、前記画像処理装置で、電源が投入されると、前記応答信号が無い時刻を、前記画像処理装置の電源が切断された切断時刻として管理する。
【００１３】
本発明の一の局面に係る切断時刻取得方法は、電子機器とネットワークサーバーとを含む切断時刻取得システムの切断時刻取得方法であって、応答要求ステップと、応答判定ステップと、応答ステップと、時刻保存ステップと、時刻管理ステップと、を備える。応答要求ステップは、前記ネットワークサーバーで、前記電子機器を送信先として、応答要求信号を送信する。応答判定ステップは、前記ネットワークサーバーで、前記応答要求信号に対する応答信号が受信されたか否かを判定する。応答ステップは、前記電子機器で、前記応答要求信号に対応して応答信号を前記ネットワークサーバーに返信する。時刻保存ステップは、前記ネットワークサーバーで、前記応答要求信号に対する応答信号が受信されない場合、前記応答信号が無い時刻を保存する。時刻管理ステップは、前記電子機器で、電源が投入されると、前記応答信号が無い時刻を、前記電子機器の電源が切断された切断時刻として管理する。
【発明の効果】
【００１４】
本発明の切断時刻取得システム及び切断時刻取得方法によれば、電源切断時の切断時刻を確実にログ出来るとともに、高コスト化を防止出来る。
【図面の簡単な説明】
【００１５】
【図１】本発明の実施形態に係る画像処理システムの全体構成を示す概念図である。
【図２】本発明の実施形態に係る画像処理システムの機能ブロック図である。
【図３】本発明の実施形態の実行手順を示すためのフローチャートである。
【図４】本発明の実施形態に係る画像処理システムの画像処理装置が動作中の場合の信号のやり取りの一例を示す図（図４（Ａ））と、本発明の実施形態に係る画像処理システムの画像処理装置が電源切断の場合の信号のやり取りの一例を示す図（図４（Ｂ））と、である。
【図５】本発明の実施形態に係る画像処理システムの画像処理装置が電源切断の場合の時刻保存の一例を示す図（図５（Ａ））と、本発明の実施形態に係る画像処理システムの画像処理装置が電源投入の場合の時刻管理の一例を示す図（図５（Ｂ））と、である。
【図６】他の実施形態に係る画像処理システムの複数の電子機器が接続された場合の概念図（図６（Ａ））と、他の実施形態に係る画像処理システムの時刻管理テーブルの一例を示す図（図６（Ｂ））と、である。
【発明を実施するための形態】
【００１６】
以下に、添付図面を参照して、本発明の切断時刻取得システム及び切断時刻取得方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１７】
以下に、本発明の実施形態に係る切断時刻取得システムの一例として、電子機器の画像処理装置とネットワークサーバーとを備えた画像処理システムについて説明する。尚、本発明の画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１８】
画像処理システム１の画像処理装置１００は、図１に示すように、タッチパネルを含む操作部を介してユーザーから原稿に関するジョブを受け付けると、画像読取制御部、画像形成制御部等の各部を駆動し、当該ジョブを実行する。又、画像処理装置１００は、第一のネットワーク通信部１０１を備え、ネットワーク１０２を介してネットワークサーバー１０３と通信可能に接続されている。ネットワークサーバー１０３は、第二のネットワーク通信部１０４を備え、特定のパケットを画像処理装置１００に送信し、当該画像処理装置１００は、受信した特定のパケットに対する応答を前記ネットワークサーバー１０３に返信する。ネットワークサーバー１０３は、前記パケットを管理し、前記パケットに対する応答の有無に応じて仮想の切断時刻を保存し、画像処理装置１００は、主電源スイッチが切断された後に、再度、主電源スイッチが投入された場合、前記ネットワークサーバー１０３から、前記切断時刻を取得し保存する。
【００１９】
尚、画像処理装置１００、ネットワークサーバー１０３の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、各駆動部に対応するドライバーを内部バスによって接続している。ＣＰＵは、例えば、ＲＡＭを作業領域として利用し、ＲＯＭ、ＨＤＤ、ＳＳＤ等に記憶されているプログラムを実行し、当該実行結果に基づいてドライバーからのデータ、指示、信号、命令等を授受し、各種処理の実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ、ＳＳＤ等には、以下に説明する各部を実現するプログラムやデータが記憶されている。
【００２０】
次に、図２、図３を参照しながら、本発明の実施形態に係る構成及び実行手順について説明する。先ず、画像処理システム１の画像処理装置１００及びネットワークサーバー１０３が共に動作していることを前提とする。例えば、画像処理装置１００は、ＡＣスイッチを利用した主電源スイッチを搭載し、ユーザーがこの主電源スイッチをＯＦＦすることで、画像処理装置１００の電源が切断される。
【００２１】
ここで、主電源スイッチがＯＮの状態で、画像処理装置１００の電源が投入されている場合は（図３：Ｓ１０１ＹＥＳ）、当該画像処理装置１００の制御部２０１が、操作部を用いて、ユーザーからのジョブの入力を受け付けて、画像読取制御部、画像形成制御部等の各部を制御し、当該ジョブを実行する。
【００２２】
又、画像処理装置１００は、ネットワーク１０２を介して、ネットワークサーバー１０３と通信可能に接続されている。ネットワークサーバー１０３の応答要求部２０２は、ネットワークサーバー１０３の動作中、特定の時点で、ネットワーク１０２に接続された画像処理装置１００を送信先として、応答要求信号を送信する（図３：Ｓ１０２）。
【００２３】
ここで、応答要求信号は、例えば、画像処理装置１００とネットワークサーバー１０３とが通信可能であることを確認するためのｐｉｎｇ要求信号を採用することが出来る。応答要求部２０２は、図４（Ａ）に示すように、ｐｉｎｇコマンドを発行し、第二のネットワーク通信部１０４を介してｐｉｎｇ要求信号を画像処理装置１００に送信する。
【００２４】
応答要求部２０２が前記ｐｉｎｇ要求信号を送信すると、その旨を応答判定部２０３に通知し、当該通知を受けた応答判定部２０３は、前記応答要求信号に対する応答信号を受信したか否かを判定する（図３：Ｓ１０３）。
【００２５】
ここで、応答判定部２０３は、例えば、予め設けられた特定のタイマーを用いて、前記応答要求信号が送信された時点からの経過時間を計時し、当該計時する経過時間が予め設定された閾時間を超過するか否かを判定する。前記閾時間は、例えば、ネットワーク通信に要する時間を含む特定の時間であり、具体的には、１分、数分等を採用することが出来る。
【００２６】
ここで、図４（Ａ）に示すように、画像処理装置１００が動作中であれば、当該画像処理装置１００は、第一のネットワーク通信部１０１を介して応答要求信号を受信し、当該画像処理装置１００の応答部２０４は、前記応答要求信号に対応して応答信号を前記ネットワークサーバー１０３に返信する。
【００２７】
すると、ネットワークサーバー１０３の応答要求部２０２は、前記画像処理装置１００からの応答信号を受信し、その旨を応答判定部２０３に通知する。当該通知を受けた応答判定部２０３は、前記経過時間が前記閾時間を超過する前に、前記応答信号が来た場合、前記応答要求信号に対する応答信号を受信したと判定する（図３：Ｓ１０３ＹＥＳ）。これにより、画像処理装置１００の主電源スイッチがＯＮの状態であると確認することが出来る。
【００２８】
ここで、Ｓ１０１に戻り、画像処理装置１００の電源が投入されている場合は（図３：Ｓ１０１ＹＥＳ）、応答判定部２０３は、その旨を応答要求部２０２に通知し、当該通知を受けた応答要求部２０２は、再度、特定の時点で、前記画像処理装置１００を送信先として前記応答要求信号を送信する（図３：Ｓ１０２）。そして、前記画像処理装置１００の応答部２０４は、前記応答要求信号に対応して応答信号を前記ネットワークサーバー１０３に返信し、前記応答判定部２０３は、前記応答要求信号に対する応答信号を受信したと判定する（図３：Ｓ１０３ＹＥＳ）。
【００２９】
このように、応答要求部２０２は、画像処理装置１００の主電源スイッチがＯＮの状態である限り、前記応答要求信号の送信を繰り返すことで、前記ネットワークサーバー１０３が、前記画像処理装置１００の電源投入状態を監視することになる。この応答要求信号の送信の繰り返しは、周期的に行われ、この周期は、例えば、ネットワーク通信に要する時間を含む特定の時間であり、具体的には、１分、数分等を採用することが出来る。
【００３０】
ここで、Ｓ１０１において、ユーザーが前記主電源スイッチをＯＦＦしたり、停電が発生したりした場合、画像処理装置１００の電源が切断された状態となる（図３：Ｓ１０１ＮＯ）。この状態において、応答要求部２０２は、前記画像処理装置１００を送信先として前記応答要求信号を送信すると（図３：Ｓ１０２）、画像処理装置１００の応答部２０４が動作しないため、図４（Ｂ）に示すように、前記応答信号が前記ネットワークサーバー１０３に返信されない。すると、応答判定部２０３は、前記経過時間が前記閾時間を超過した際に、前記応答信号が受信されない場合、前記応答要求信号に対する応答信号を受信しないと判定する（図３：Ｓ１０３ＮＯ）。尚、ネットワーク通信エラー等の何らかの理由により、前記応答信号が適切にネットワークサーバー１０３に受信されない場合も、同様である。
【００３１】
応答判定部２０３が、前記応答要求信号に対する応答信号を受信しないと判定すると（図３：Ｓ１０３ＮＯ）、その旨を時刻保存部２０５に通知し、当該通知を受けた時刻保存部２０５は、前記応答信号が無い時刻を保存する（図３：Ｓ１０４）。例えば、時刻保存部２０５は、予め設けられたリアルタイムクロックから、応答判定部２０３からの通知を受けた時刻（１／２６  ０９：００）を取得し、図５（Ａ）に示すように、当該取得された時刻を、前記画像処理装置１００の識別情報（ＭＡＣアドレス、ＩＰアドレス等、例えば、「ＡＡＡ」）に関連付けて、特定のメモリーに記憶させる。尚、前記時刻は、日付を備えると好ましいが、時刻のみでも構わない。これにより、画像処理装置１００の電源が切断されたとしても、ネットワークサーバー１０３が、それを監視して、その時刻を保存することが可能となる。
【００３２】
さて、前記画像処理装置１００が電源切断の状態において、ユーザーが、当該画像処理装置１００の主電源スイッチをＯＮの状態にすると、当該画像処理装置１００の電源が投入される（図３：Ｓ２０１）。すると、画像処理装置１００の制御部２０１が初期動作をするとともに、電源投入の旨を時刻管理部２０６に通知する。当該通知を受けた時刻管理部２０６は、前記ネットワークサーバー１０３に保存された前記応答信号が無い時刻を、前記画像処理装置１００の電源が切断された切断時刻として管理する。
【００３３】
例えば、時刻管理部２０６は、図５（Ｂ）に示すように、ネットワークサーバー１０３と通信し、当該ネットワークサーバー１０３に保存されている時刻のうち、前記画像処理装置１００の識別情報（「ＡＡＡ」）に関連付けられた時刻（１／２６  ０９：００）を取得する（図３：Ｓ２０２）。次に、時刻管理部２０６は、前記取得された時刻（１／２６  ０９：００）を、前記切断時刻として、ログ用のメモリーに記憶させる（図３：Ｓ２０３）。これにより、前記画像処理装置１００の切断時刻をログすることが可能となる。ここで、本発明では、前記画像処理装置１００の切断時刻を、自装置内の部材で取得するのではなく、外部のネットワークサーバー１０３から取得するように構成している。そのため、画像処理装置１００に、バッテリー等の専用部品を設ける必要が無く、コストダウンを実現することが可能となる。又、低電圧電源の仕様にする必要も無く、電源が落ち始めることを検知して、切断時刻のみを取得するための別のシステムを追加する必要も無く、コストダウンを実現することが出来る。
【００３４】
尚、本発明の実施形態では、画像処理システムについて適用したが、画像処理装置を一般的な電子機器（端末装置等）に換えて、電子機器とネットワークサーバーとを備えた切断時刻取得システムについて適用しても、同様の作用効果を有する。
【００３５】
又、本発明の実施形態では、ネットワークサーバー１０３に一の電子機器１００を接続した場合について説明したが、複数の電子機器１００を接続した場合であっても、同様の作用効果を有する。例えば、図６（Ａ）に示すように、ネットワークサーバー１０３に複数の電子機器１００が接続された場合、応答要求部２０２は、電子機器１００の識別情報に基づいて、各電子機器１００毎に前記応答要求信号を送信する。そして、応答判定部２０３は、電子機器１００の識別情報に基づいて、各電子機器１００毎に前記応答信号を受信したか否かを判定する。ここで、時刻保存部２０５は、第一の電子機器１００ａからの応答信号を受信しないと判定した場合、特定のメモリーに記憶された時刻管理テーブル６００を参照する。前記時刻管理テーブル６００には、図６（Ｂ）に示すように、前記ネットワークサーバー１０３に接続された電子機器１００の識別情報６０１と、当該電子機器１００に対する応答信号が無い時刻６０２とが関連付けて記憶される。時刻保存部２０５は、第一の電子機器１００ａからの応答信号を受信しない場合、当該第一の電子機器１００ａの識別情報（例えば、「ＡＡＡ」）と、前記時刻管理テーブル６００の電子機器１００の識別情報６０１とを照合し、当該照合した第一の電子機器１００ａの識別情報６０１に、前記応答信号が無い時刻６０２（１／２７  ０９：００）を関連付けて記憶させる。そして、前記第一の電子機器１００ａの電源が投入された際に、当該第一の電子機器１００ａの時刻管理部２０６が、前記ネットワークサーバー１０３の時刻管理テーブル６００を参照し、自身の識別番号（「ＡＡＡ」）と、前記時刻管理テーブル６００の電子機器１００の識別情報６０１とを照合し、当該照合した第一の電子機器１００ａの識別情報６０１に関連付けられた前記応答信号が無い時刻６０２を取得する。そして、時刻管理部２０６が、前記取得した前記応答信号が無い時刻６０２を、前記第一の電子機器１００ａの電源が切断された切断時刻として管理する。このように、複数の電子機器１００の切断時刻をネットワークサーバー１０３一台で管理することで、電源切断時の切断時刻を確実にログ出来るとともに、コストダウンを図ることが可能となる。
【００３６】
又、本発明の実施形態では、時刻管理部２０６は、電源が投入されると、前記応答信号が無い時刻をネットワークサーバー１０３から取得するよう構成したが、他の構成でも良い。例えば、ネットワークサーバー１０３の時刻保存部２０５が、電源切断後の電子機器１００の電源投入を検知すると、当該検知された電子機器１００に関連付けられた前記応答信号が無い時刻を当該電子機器１００に送信し、当該電子機器１００の時刻管理部２０６が、受信した前記応答信号が無い時刻を前記切断時刻として管理するよう構成しても良い。
【００３７】
又、切断時刻取得システムの電子機器、ネットワークサーバーが各部を備えるよう構成したが、当該各部を実現するプログラムを記憶媒体に記憶させ、当該記憶媒体を提供するよう構成しても構わない。当該構成では、前記プログラムを、電子機器、ネットワークサーバーに読み出させ、電子機器、ネットワークサーバーが前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００３８】
以上のように、本発明に係る切断時刻取得システム、画像処理システム及び切断時刻取得方法は、複合機、複写機等の画像処理装置等の電子機器を有する切断時刻取得システムに有用であり、電源切断時の切断時刻を確実にログ出来るとともに、高コスト化を防止出来る切断時刻取得システム、画像処理システム及び切断時刻取得方法として有効である。
【符号の説明】
【００３９】
１  画像処理システム
１００  画像処理装置
１０３  ネットワークサーバー
２０１  制御部
２０２  応答要求部
２０３  応答判定部
２０４  応答部
２０５  時刻保存部
２０６  時刻管理部
【図１】
2016157312.tif 000003
【図２】
2016157312.tif 000004
【図３】
2016157312.tif 000005
【図４】
2016157312.tif 000006
【図５】
2016157312.tif 000007
【図６】
2016157312.tif 000008